(57)【要約】【課題】接続ロープとティーとの接続が簡単なゴルフティーを提供する。【解決手段】ティーと接続ロープとを具備する。ティーは、釘形脚と台座部を具備し、台座部は前記釘形脚の上端に設けられ、台座部の頂部に凹溝が設けられ、台座部の一側に接続溝が設けられ、接続溝と前記凹溝とが通じ、接続溝は開口部、通路部及び固定部を含み、開口部は台座部の頂部まで延伸し、通路部は開口部の下方にあり、通路部の幅は開口部の幅より小さく、固定部は前記通路部の下方にある。接続ロープは、接続溝の前記開口部および通路部を通じて固定部に導入されることによって固定部に挿通状態で係止される一端部を有し、一端部は固定部に係止された状態を固定するためのストッパーを有する。【選択図】図１
0003157585.tif 000002
【実用新案登録請求の範囲】
【請求項１】
ティーと接続ロープとを具備するゴルフティーであって、
前記ティーは、釘形脚と台座部を具備し、前記台座部は前記釘形脚の上端に設けられ、前記台座部の頂部に凹溝が設けられ、前記台座部の一側に接続溝が設けられ、前記接続溝と前記凹溝とが通じ、前記接続溝は開口部、通路部及び固定部を含み、前記開口部は前記台座部の頂部まで延伸し、前記通路部は前記開口部の下方にあり、前記通路部の幅は前記開口部の幅より小さく、前記固定部は前記通路部の下方にあり、
前記接続ロープは、前記接続溝の前記開口部および前記通路部を通じて前記固定部に導入されることによって前記固定部に挿通状態で係止される一端部を有し、前記一端部は前記固定部に係止された状態を固定するためのストッパーを有する
ゴルフティー。
【請求項２】
前記固定部の下方に、前記通路部を弾性的に収縮し密着させるための弾性部をさらに具備することを特徴とする請求項1に記載のゴルフティー。
【請求項３】
前記接続ロープの前記ストッパーの外径は前記接続溝の前記固定部の内径より大きいことを特徴とする請求項1又は２に記載のゴルフティー。
【請求項４】
前記接続溝の内壁に、前記接続ロープの前記ストッパーを位置決めするための位置決め溝を設け、前記接続溝の前記通路部が直線型又はＳ字型の溝孔であることを特徴とする請求項1又は２に記載のゴルフティー。
【請求項５】
さらに別のティーを設け、前記接続溝の他端を前記別のティーに接続することを特徴とする請求項1又は２に記載のゴルフティー。
【考案の詳細な説明】
【技術分野】
【０００１】
本考案は接続線を具備するゴルフティーに関し、特に接続ロープを取り付けてティーが紛失するのを防止することができるゴルフティーに関する。
【背景技術】
【０００２】
生活水準の向上に伴い、人々はますます余暇を重視するようになって、ゴルフも盛んになっている。正規のゴルフでは、第一打スタートのスイングでティーショットをするとき、ゴルフボールを位置決めするのに便利で、地面より高めの形を提供し、正確なショットの形成に必要なルートや距離に便利なように、何れもショット専用のティーを使用し、つまりティー下部の釘形脚を芝生に挿し込み、スイングしてショットするのに都合が良いように、ティー上部の台座部にゴルフボールを位置決めして載置する。
【０００３】
また、ティーに接続ロープの一端が接続されたものが知られている。前記接続ロープの他端は別のティーに接続され、使用の際に２つのティーが地面に挿される。ティーがショットによってティーが弾き飛ばされても、接続ロープによってその飛距離が制限され、ティーが紛失することで買い直しするのに必要な経費を節減する。
【０００４】
従来の接続ロープとティーの接続方法では、ティーに挿通孔を設けて、接続ロープの一端を前記挿通孔に挿通して結び目を作り、外径が大きめのストッパーを形成する必要があり、それによって接続ロープの一端をティーに固定させることができる。しかし接続ロープは挿通孔を挿通させるのが相当困難であることから、その操作に手間が掛かり、生産速度が緩慢になり、コストが増加することとなる。特許文献１で「調節可能なゴルフティー」を開示しているが、上記接続ロープの挿通が不便な問題が存在する。
【０００５】
そこで、本考案人は上記の欠点が改善可能と考え、特に研究に専念する共に併せて学術理論を運用して、合理的設計で上記の欠点を効果的に改善する本考案を提案するものである。
【先行技術文献】
【特許文献】
【０００６】
【特許文献１】台湾特許公開第２００８３６８００号明細書
【考案の概要】
【考案が解決しようとする課題】
【０００７】
本考案の主な目的は、接続ロープとティーの接続を速やかに完成させることができ、その組立が簡単容易で、しかも堅固に接続でき、生産速度を加速することができ、コスト削減効果のあるゴルフティーを提供することにある。
【課題を解決するための手段】
【０００８】
上記の目的を達するために、本考案は、ティーと接続ロープとを具備するゴルフティーであって、前記ティーは、釘形脚と台座部を具備し、前記台座部は前記釘形脚の上端に設けられ、前記台座部の頂部に凹溝が設けられ、前記台座部の一側に接続溝が設けられ、前記接続溝と前記凹溝とが通じ、前記接続溝は開口部、通路部及び固定部を含み、前記開口部は前記台座部の頂部まで延伸し、前記通路部は前記開口部の下方にあり、前記通路部の幅は前記開口部の幅より小さく、前記固定部は前記通路部の下方にあり、前記接続ロープは、前記接続溝の前記開口部および前記通路部を通じて前記固定部に導入されることによって前記固定部に挿通状態で係止される一端部を有し、前記一端部は前記固定部に係止された状態を固定するためのストッパーを有するゴルフティーを提供する。
【考案の効果】
【０００９】
本考案は以下の効果を有する。ティーの台座部の頂部に開口した開口部を有する接続溝を設けたので、前記接続溝の開口部から接続ロープを固体部内に導入して係止させることができ、それにより接続ロープとティーの接続を速やかに完成させ、組立が簡単容易でしかも堅固に接続することができ、生産速度を加速することができると共に自動化生産するのに都合よく、コスト削減を図ることができる。
【００１０】
本考案では、前記固定部の下方に設けられた弾性部によって前記通路部が適度な弾性で収縮して密着するので、接続ロープが前記接続溝から上方に脱離するのをより効果的に防止できる。
【００１１】
本考案の接続ロープの両端のストッパー（線の端）は自動ホット・メルト成型の利用が可能で、上から下へ自動的に治具で挿し込み線を挟持するので、生産速度を一層速めることができ、コスト削減効果がある。
【００１２】
本考案の特徴や技術内容を一層理解できるよう、以下に本考案に関する詳細説明と添付図面を参照するが、添付図面は参考と説明用に供するに過ぎず、本考案に制限を課すものではない。
【図面の簡単な説明】
【００１３】
【図１】本考案の接続線を具備するゴルフティーの実施例１の第１ティーを示す斜視図である。
【図２】本考案の接続線を具備するゴルフティーの実施例１の第２ティーを示す斜視図である。
【図３】本考案の接続線を具備するゴルフティーの実施例１の断面図である。
【図４】本考案の接続線を具備するゴルフティーの実施例１の第１ティーを示す側面図である。
【図５】本考案の接続線を具備するゴルフティーの実施例１の第１ティーを示す断面図である。
【図６】本考案の接続線を具備するゴルフティーの実施例１の第２ティーを示す側面図である。
【図７】本考案の接続線を具備するゴルフティーの実施例１の第２ティーを示す断面図である
【図８】本考案の接続線を具備するゴルフティーの実施例２の第１ティーを示す側面図である。
【図９】本考案の接続線を具備するゴルフティーの実施例２の第２ティーを示す側面図である。
【図１０】本考案の接続線を具備するゴルフティーの実施例３の第１ティーを示す側面図である。
【図１１】本考案の接続線を具備するゴルフティーの実施例３の第２ティーを示す側面図である。
【図１２】本考案の接続線を具備するゴルフティーの実施例４の第１ティーを示す側面図である。
【図１３】本考案の接続線を具備するゴルフティーの実施例４の第２ティーを示す側面図である。
【図１４】本考案の接続線を具備するゴルフティーの実施例５の第１ティーを示す側面図である。
【図１５】本考案の接続線を具備するゴルフティーの実施例５の第２ティーを示す側面図である。
【図１６】本考案の接続ロープの両端をティーの接続溝に据えた概略図である。
【図１７】本考案の接続線を具備するゴルフティーの実施例６の第１ティーを示す側面図である。
【図１８】本考案の接続線を具備するゴルフティーの実施例７の第２ティーを示す側面図である。
【考案を実施するための形態】
【００１４】
［実施例１］
本考案は接続線を具備するゴルフティーを提供する。図１から図７は本考案の実施例１であり、前記接続線を具備するゴルフティーは２つのティー１と接続ロープ２（図３参照）を含み、前記２つのティー１はプラスチックやその他の材料で製造される。前記２つのティー１の構造はほぼ同様で、その相違は前記２つのティー１は高さが異なり、高めのティー１（図４、図５に示す第１ティー）は長いクラブでのショット用で、低めのティー１（図６、図７に示す第２ティー）は短いクラブでのショット用である。前記２つのティー１は釘形脚１１と台座部１２を備え、前記釘形脚１１は円柱状の棒で、その下端は逆円錐部１１１とされ、芝生に挿し込める。前記釘形脚１１の外縁には間隔を置いて複数の標示線１１２が設けられ、高さの表示記号とすることができる。
【００１５】
前記台座部１２は前記釘形脚１１の上端に設けられ、ゴルフボール３を載置することができる。前記台座部１２は一体成型で前記釘形脚１１の上端に設けられるが、前記台座部１２は組合せる方法で前記釘形脚１１の上端に接続することもできる。前記台座部１２と釘形脚１１は一種類又は多種類の材料で製造することができ、本実施例では、釘形脚１１はポリカーボネート（ＰＣ）の様な硬めの樹脂で、台座部１２はポリウレタンの様な軟らかめの樹脂（ＰＵ）で製造する。前記台座部１２の外径は下から上に次第に大きくなる錐体状に形成される。前記台座部１２の頂部には凹溝１２１が設けられ、前記凹溝１２１は前記台座部１２内部に適度な深さに窪む。高めのティー１（図４、図５参照）においては、前記台座部１２の頂部の凹溝１２１の周縁にさらに複数の支持部１２２が突設されている。複数の支持部１２２はそれぞれプレート状で、前記複数の支持部１２２はゴルフボール３を支持するのに都合よい様に間隔を置いて台座部１２頂部に設置される。また前記複数の支持部１２２は省略することもできる（図８参照）。
【００１６】
前記台座部１２の一側には接続溝１２３が開設され、前記接続溝１２３は台座部１２の外縁から台座部１２の内縁まで貫通し、つまり接続溝１２３と凹溝１２１とは通じている。前記接続溝１２３は開口部１２３１、通路部１２３２、固定部１２３３及び弾性部１２３４を含み、開口部１２３１、通路部１２３２、固定部１２３３及び弾性部１２３４は上から下へ順次設けられる。
【００１７】
前記開口部１２３１から接続ロープ２を上から下へ前記接続溝１２３内に導入することができるように、前記開口部１２３１は台座部１２の頂部まで延伸し、前記接続溝１２３は頂部は開口状を形成する。また、前記接続ロープ２の一端部をガイドして前記接続溝１２３内に導入できるように、前記開口部１２３１の両側には斜角１２３６が設けられている。前記通路部１２３２は前記開口部１２３１の下方にある直線型の溝孔であり、前記通路部１２３２の幅は前記開口部１２３１の幅より小さく、前記通路部１２３２の溝において対向する端面どうしが、弾性部１２３４によって適度な弾性で密着する。前記固定部１２３３は前記通路部１２３２の下方にある。前記固定部１２３３は円形（図４、図６参照）、方形又はその他の形状の溝孔であり、接続ロープ２の一端部を挿通状態で係止することができる。前記弾性部１２３４は前記固定部１２３３の下方にあるＵ字型の溝孔であり、前記接続溝１２３に適度な弾性を提供することができ、前記通路部１２３２の対向する端面どうしを弾性で密着させ、接続ロープ２が前記接続溝１２３から上方に脱離するのを防止する。
【００１８】
前記開口部１２３１、通路部１２３２、固定部１２３３及び弾性部１２３４の形状は限定されず、適当に変化させることができ、しかも通路部１２３２と弾性部１２３４は省略することもでき、前記固定部１２３３を前記開口部１２３１の下方に位置させて（図省略）、前記固定部１２３３が直接開口部１２３１の下端に接続されてもよい。
【００１９】
前記接続ロープ２の長さや材質には制限が無い。前記接続ロープ２の両端部は前記２つのティー１にそれぞれ接続される。治具４（図１６参照）を用いて、前記接続ロープ２の一端部を開口部１２３１から前記接続溝１２３内に導入し、通路部１２３２から前記固定部１２３３内に導入して係止させる。接続ロープ２を接続溝１２３内に導入する操作は自動化された方法で行うことができる。前記接続ロープ２の一端部には、外径が前記固定部１２３３の内径より大きいストッパー２１が形成される。このストッパー２１は接続ロープ２の一端部が固定部１２３３に係止された状態を固定して接続ロープ２とティー１が分離するのを防止する。また、図５に示すように、前記接続溝１２３の内壁に弧状の位置決め溝１２３５を設けることで、ストッパー２１を安定的に前記位置決め溝１２３５内に位置決めさせることができる。前記接続ロープ２の他端も同様の方法で別のティー１に固定され、前記接続ロープ２と前記２つのティー１の間に接続される。
［実施例２］
【００２０】
図８、図９で示すように、本実施例の実施例２では、前記接続溝１２３の固定部１２３３は方形の溝孔である。
［実施例３、４］
【００２１】
図１０、図１１、図１２及び図１３で示すように、本考案の実施例３と実施例４では、前記接続溝１２３の通路部１２３２はＳ字型の溝孔であり、前記通路部１２３２の幅は前記開口部１２３１の幅より小さく、前記通路部１２３２の溝において対向する端面どうしが弾性部１２３４によって適度な弾性で密着される。これにより、接続ロープ２が前記接続溝１２３から上方に脱離するのを防止することができる。
［実施例４、５］
【００２２】
図１２、図１３、図１４及び図１５で示すように、本考案の実施例４と実施例５では、前記接続溝１２３の固定部１２３３の左右は非対称の幅に形成されて、接続ロープ２に好ましい固定効果をもたらす。
［実施例６、７］
【００２３】
図１７、図１８に示すように、本考案の実施例６と実施例７では、前記接続溝１２３の通路部１２３２はＳ字型の溝孔であり、通路部１２３２の両側の内壁の凹凸状の溝によって形成される。
【００２４】
また、本考案の接続ロープ２は一端のみをティー１に接続することもでき、前記接続ロープ２の他端はティー杭（図省略）等のその他の装置に接続することができる。本考案の接続線を具備するゴルフティーの製造工程は下記の通りである。
【００２５】
（１）先ず、２つのティー１と接続ロープ２を成型し、前記２つのティー１はそれぞれ釘形脚１１と台座部１２を備え、前記台座部１２の一側には開口部１２３１、通路部１２３２、固定部１２３３及び弾性部１２３４を含む接続溝１２３を開設する。
【００２６】
（２）前記接続ロープ２を治具４（図１６参照）で挟持した上で、加熱方法で前記接続ロープ２の両端を溶融し、それを大き目のストッパー（線の端）２１に形成する。前記ストッパー２１の外径は前記固定部１２３３の内径より大きい。前記接続ロープ２の両端を治具４を使って前記２つのティー１の開口部１２３１から接続溝１２３内に導入し、通路部１２３２から前記固定部１２３３内に導入して係止させると共に、前記ストッパー２１を前記凹溝１２１内に位置決めして、接続ロープ２の両端を２つのティー１に固定させる。
【００２７】
本考案によれば、ティー１の台座部１２の頂部に開口した開口部１２３１を有する前記接続溝１２３を設けたので、前記接続溝１２３の開口部１２３１から接続ロープ２を固体部１２３３内に導入して係止させることができ、それにより接続ロープ２とティー１の接続を速やかに完成させ、組立が簡単容易でしかも堅固に接続することができ、生産速度を加速することができると共に自動化生産するのに都合よく、コスト削減を図ることができる。
【００２８】
そのうえ、接続溝１２３には、弾性部１２３４を利用して適度な弾性で収縮し密着させることのできる通路部１２３２が設けられているので、樹脂を熱成型して冷却すると自然に収縮するという樹脂の弾性原理を利用し、通路部１２３２の凹凸溝の原理と併せて、接続ロープ２が前記接続溝１２３から上方に脱離するのを防止できる。
【００２９】
以上の記述は本考案の好ましい実施例に過ぎず、本考案の権利保護の範囲を限定するものではなく、従って本考案の明細書及び図面内容を運用して行った等価変化は何れも同様の原理で本考案の権利保護の範囲内に含まれるものとする。
【符号の説明】
【００３０】
１  ティー
１１  釘形脚
１１１  逆円錐部
１１２  標示線
１２  台座部
１２１  凹溝
１２２  支持部
１２３  接続溝
１２３１  開口部
１２３２  通路部
１２３３  固定部
１２３４  弾性部
１２３５  位置決め溝
１２３６  斜角
２  接続ロープ
２１  ストッパー
３  ゴルフボール
４  治具
【図１】
0003157585.tif 000003
【図２】
0003157585.tif 000004
【図３】
0003157585.tif 000005
【図４】
0003157585.tif 000006
【図５】
0003157585.tif 000007
【図６】
0003157585.tif 000008
【図７】
0003157585.tif 000009
【図８】
0003157585.tif 000010
【図９】
0003157585.tif 000011
【図１０】
0003157585.tif 000012
【図１１】
0003157585.tif 000013
【図１２】
0003157585.tif 000014
【図１３】
0003157585.tif 000015
【図１４】
0003157585.tif 000016
【図１５】
0003157585.tif 000017
【図１６】
0003157585.tif 000018
【図１７】
0003157585.tif 000019
【図１８】
0003157585.tif 000020
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
ティーと接続ロープとを具備するゴルフティーであって、
前記ティーは、釘形脚と台座部を具備し、前記台座部は前記釘形脚の上端に設けられ、前記台座部の頂部に凹溝が設けられ、前記台座部の一側に接続溝が設けられ、前記接続溝と前記凹溝とが通じ、前記接続溝は開口部、通路部及び固定部を含み、前記開口部は前記台座部の頂部まで延伸し、前記通路部は前記開口部の下方にあり、前記通路部の幅は前記開口部の幅より小さく、前記固定部は前記通路部の下方にあり、
前記接続ロープは、前記接続溝の前記開口部および前記通路部を通じて前記固定部に導入されることによって前記固定部に挿通状態で係止される一端部を有し、前記一端部は前記固定部に係止された状態を固定するためのストッパーを有する
ゴルフティー。
【請求項２】
前記固定部の下方に、前記通路部を弾性的に収縮し密着させるための弾性部をさらに具備することを特徴とする請求項1に記載のゴルフティー。
【請求項３】
前記接続ロープの前記ストッパーの外径は前記接続溝の前記固定部の内径より大きいことを特徴とする請求項1又は２に記載のゴルフティー。
【請求項４】
前記接続溝の内壁に、前記接続ロープの前記ストッパーを位置決めするための位置決め溝を設け、前記接続溝の前記通路部が直線型又はＳ字型の溝孔であることを特徴とする請求項1又は２に記載のゴルフティー。
【請求項５】
前記接続ロープは、別のゴルフティーとの固定のための別のストッパーをさらに有することを特徴とする請求項1又は２に記載のゴルフティー。